(57)【要約】【課題】  この発明は、飲食店内の顧客同士のコミュニケーションに供するができ、ひいては飲食店の売り上げを向上することが可能なジャンケン支援システムを提供することを課題とする。【解決手段】  飲食店の各テーブルＴに配置された端末装置１において、グー、チョキ、パーからなるジャンケンの構成要素を示すジャンケン構成要素画面を表示させ、両テーブルの端末装置においてジャンケン構成要素画面により選択されたジャンケン構成要素に基づいて、ジャンケンの勝敗を決定する。決定されたジャンケンの勝敗に基づいて、両テーブルＴの端末装置１のディスプレイに対して、ジャンケンの勝者または敗者であることを示すジャンケン勝敗画面を表示させる。【選択図】  図１
2005063103.tif 000002
【特許請求の範囲】
【請求項１】
飲食店の各テーブルに設けられたディプレイ付きの端末装置と、それら端末装置を統括的に管理するサーバコンピュータとを備え、各テーブルの顧客同士のジャンケンを支援するジャンケン支援システムであって、
前記端末装置のディスプレイに対して、ジャンケンの対戦相手を選択するための対戦相手選択画面を表示させる対戦相手選択画面表示制御手段と、
前記対戦相手選択画面に基づいて他のテーブルがジャンケンの対戦相手として選択された場合、その選択されたテーブルの端末装置のディスプレイに対して、当該テーブルがジャンケンを挑戦されたことを示す挑戦画面を表示させる挑戦画面表示制御手段と、
前記挑戦画面において対戦相手が挑戦に応じた場合に、ジャンケンを挑戦した側の端末装置のディスプレイに対して、対戦相手がジャンケンに応じたことを示す挑戦結果画面を表示させる挑戦結果画面表示制御手段と、
ジャンケンを挑戦した側のテーブルの端末装置のディスプレイと、前記ジャンケンの挑戦をされた側のテーブルの端末装置とに対して、それぞれグー、チョキ、パーからなるジャンケンの構成要素を示すジャンケン構成要素画面を表示させるジャンケン構成要素画面表示制御手段と、
前記両テーブルの端末装置においてジャンケン構成要素画面により選択されたジャンケン構成要素に基づいて、ジャンケンの勝敗を決定するジャンケン勝敗決定手段と、
前記ジャンケン勝敗決定手段により決定されたジャンケンの勝敗に基づいて、両テーブルの端末装置のディスプレイに対して、ジャンケンの勝者または敗者であることを示すジャンケン勝敗画面を表示させるジャンケン勝敗画面表示制御手段と、
を備えてなることを特徴とするジャンケン支援システム。
【請求項２】
さらに、テーブルの端末装置のディスプレイに対して、複数の商品が掲載された商品一覧画面を表示させる商品一覧画面表示制御手段が設けられている請求項１に記載のジャンケン支援システム。
【請求項３】
さらに、テーブルの端末装置のディスプレイに対して、上記ジャンケン以外のゲームを提供するゲーム提供手段が設けられている請求項１または請求項２のいずれかに記載のジャンケン支援システム。
【発明の詳細な説明】
【技術分野】
【０００１】
本発明は、飲食店の各テーブルの顧客同士でジャンケンを実施することを支援するためのジャンケン支援システムに関するものである。
【背景技術】
【０００２】
従来、外食産業が盛んになるにつれて様々な飲食店が出店されており、それらの飲食店において、いわゆる電子注文システムが用いられることが多くなってきている。
【０００３】
この電子注文システムは、飲食店における顧客の注文を支援するもので、飲食店の各テーブルに設置された端末装置と、それら端末装置を統括的に管理するホストコンピュータとを備え、テーブルの端末装置から飲食品を注文して、それを厨房等のモニタやプリンタに出力するものとなされている。そして、最近では、顧客の注文品に関する情報を電子レジスターにも送信し、顧客の注文品を自動的に精算するようになっている（例えば、特許文献１参照）。
【０００４】
ところで、飲食店は、通常、顧客が仲間やグループで集まって飲食することが多いが、それら異なるテーブルの顧客同士が盛り上がることは少なく、ましてや互いにテーブルが離れている場合には、顧客同士がコミュニケーションをとることは非常に困難である。
【０００５】
そして、上述の電子注文システムは、テーブルに設置された端末装置から飲食品を注文したり、さらにはそれら注文品を電子レジスターにおいて自動的に精算するというだだけであり、上述のような飲食店内の顧客同士のコミュニケーションに全く供するものではなかった。
【特許文献１】特開２００２−１８９７８８号
【発明の開示】
【発明が解決しようとする課題】
【０００６】
この発明は、上述の背景に鑑みてなされたものであって、飲食店内の顧客同士のコミュニケーションに供するができ、ひいては飲食店の売り上げを向上することが可能なジャンケン支援システムを提供することを課題とする。
【課題を解決するための手段】
【０００７】
この発明は、上記課題を解決するために、飲食店の各テーブルに設けられたディプレイ付きの端末装置と、それら端末装置を統括的に管理するサーバコンピュータとを備え、各テーブルの顧客同士のジャンケンを支援するジャンケン支援システムであって、
前記端末装置のディスプレイに対して、ジャンケンの対戦相手を選択するための対戦相手選択画面を表示させる対戦相手選択画面表示制御手段と、前記対戦相手選択画面に基づいて他のテーブルがジャンケンの対戦相手として選択された場合、その選択されたテーブルの端末装置のディスプレイに対して、当該テーブルがジャンケンを挑戦されたことを示す挑戦画面を表示させる挑戦画面表示制御手段と、前記挑戦画面において対戦相手が挑戦に応じた場合に、ジャンケンを挑戦した側の端末装置のディスプレイに対して、対戦相手がジャンケンに応じたことを示す挑戦結果画面を表示させる挑戦結果画面表示制御手段と、ジャンケンを挑戦した側のテーブルの端末装置のディスプレイと、前記ジャンケンの挑戦をされた側のテーブルの端末装置とに対して、それぞれグー、チョキ、パーからなるジャンケンの構成要素を示すジャンケン構成要素画面を表示させるジャンケン構成要素画面表示制御手段と、前記両テーブルの端末装置においてジャンケン構成要素画面により選択されたジャンケン構成要素に基づいて、ジャンケンの勝敗を決定するジャンケン勝敗決定手段と、前記ジャンケン勝敗決定手段により決定されたジャンケンの勝敗に基づいて、両テーブルの端末装置のディスプレイに対して、ジャンケンの勝者または敗者であることを示すジャンケン勝敗画面を表示させるジャンケン勝敗画面表示制御手段と、を備えてなることを特徴とする。
【０００８】
これによれば、飲食店内の顧客は、各テーブルに設置された端末装置を用いて互いにジャンケンを実施することができる。
【０００９】
さらに、テーブルの端末装置のディスプレイに対して、複数の商品が掲載された商品一覧画面を表示させる商品一覧画面表示制御手段が設けられているのが好ましい。
【００１０】
これによれば、飲食店内の顧客は、上述の端末装置を用いたジャンケンを実施するに際して、ジャンケンに勝った場合に得られる商品を閲覧することができる。
【００１１】
さらに、テーブルの端末装置のディスプレイに対して、上記ジャンケン以外のゲームを提供するゲーム提供手段が設けられているのが好ましい。
【００１２】
これによれば、飲食店内の顧客は、各テーブルに設置された端末装置を用いてジャンケン以外のゲームを実施することができる。
【発明の効果】
【００１３】
請求項１に係る発明によれば、飲食店内の顧客は、各テーブルに設置された端末装置を用いて互いにジャンケンを実施し得るので、飲食店内の顧客同士のコミュニケーションに供するができ、ひいては飲食店の売り上げを向上することが可能となる。
【００１４】
請求項２に係る発明によれば、飲食店内の顧客は、上述の端末装置を用いたジャンケンを実施するに際して、ジャンケンに勝った場合に得られる商品を閲覧し得るので、本システムへの参加のインセンティブを増大させることができる。
【００１５】
請求項３に係る発明によれば、飲食店内の顧客は、各テーブルに設置された端末装置を用いてジャンケン以外のゲームを実施することができる。
【発明を実施するための最良の形態】
【００１６】
次にこの発明の一実施形態に係るジャンケン支援システムについて図面を参照しつつ説明する。  
【００１７】
図１は、前記ジャンケン支援システムの構成概略図である。
【００１８】
このジャンケン支援システムは、図１に示すように、飲食店の各テーブル（Ｔ）に設置された複数の端末装置（１）と、各端末装置（１）を統括的に管理するホストコンピュータ（２）とを備えてなる。
【００１９】
なお、図１には図示していないが、端末装置（１）により注文を行い、厨房等に設けられているプリンタ等から注文を出力するものとしてもよい。
【００２０】
図２は、前記ジャンケン支援システムにおいて異なるテーブル（Ｔ）の端末装置（１Ａ）（１Ｂ）間でジャンケンを実施することを状態を示す模式図である。
【００２１】
図２のおいて、（１Ａ）はジャンケンを挑戦する側（以下、挑戦側という）の端末装置、（１Ｂ）はジャンケンを挑戦された側（以下、被挑戦側という）の端末装置であり、それら端末装置（１Ａ）（１Ｂ）においてジャンケンを実施することをホストコンピュータ（２）が支援するものとなされている。
【００２２】
図３は、挑戦側の端末装置（１Ａ）の機能を示すブロック図である。
【００２３】
なお、この実施形態では、説明の便宜上、挑戦側の端末装置（１Ａ）と被挑戦側の端末装置（１Ｂ）の機能を分けて説明するが、いずれの端末装置（１Ａ）（１Ｂ）も挑戦機能と被挑戦機能を兼ね備えている。
【００２４】
前記挑戦側の端末装置（１Ａ）は、説明画面表示制御部（１０１）、商品一覧画面表示制御部（１０２）、対戦相手選択画面表示制御部（１０３）、挑戦結果画面表示制御部（１０４）、ジャンケン構成要素画面表示制御部（１０５）、ジャンケン勝敗画面表示制御部（１０６）、挑戦情報送信部（１０７）、挑戦結果情報受信部（１０８）、ジャンケン構成要素情報送信部（１０９）、ジャンケン勝敗情報受信部（１１０）、およびディスプレイ部（１００）を備えてなる。
【００２５】
前記説明画面表示制御部（１０１）は、図８に示すように、このジャンケン支援システムに関する説明の画面（Ｇ１）を前記ディスプレイ部（１００）に表示させるものである。この説明画面（Ｇ１）には、上部に「挑戦状」と表示されており、その下には「挑戦状を他のテーブルに送ることによりそのテーブルの人とジャンケン勝負をすることができます。勝てば対戦者から一品おごってもらうことができ、負ければ相手に一品おごることになります。勝負しますか？」という説明文言が記載されている。また、説明画面の右下部には、勝負をしないときに押す「しない」ボタンと、勝負をするときに押す「する」ボタンが表示されている。
【００２６】
前記商品一覧画面表示制御部（１０２）は、図８に示すように、ジャンケンに勝った場合に対戦者からおごってもらえる商品の一覧の画面（Ｇ２）を前記ディスプレイ部（１００）に表示させるものである。この商品一覧画面（Ｇ２）には、上部に「勝負に勝つとこの中から商品を１品選ぶことができます。負けると商品を手に入れる権利が相手へ移ります」という文言が表示されており、その下には各商品が複数表示されている。また、商品一覧画面（Ｇ２）の右下部には、勝負をしないときに押す「しない」ボタンと、勝負をするときに押す「する」ボタンが表示されている。
【００２７】
前記対戦相手選択画面表示制御部（１０３）は、図８に示すように、ジャンケンの対戦相手を選ぶために飲食店内の各テーブル（Ｔ）の配置の画面（Ｇ３）を表示するものである。この対戦相手選択画面（Ｇ３）には、その上部に「対戦相手を選んで下さい。黒は自分のテーブル、白は人のいないテーブルを表しています。白・黒のテーブルは選択することができません」という説明文言が表示されており、その下には飲食店内の各テーブル（Ｔ）の配置が表示されている。また、対戦相手選択画面（Ｇ３）の右下部には、前画面に戻るための「戻る」ボタンと、最初の画面に戻るための「最初の画面へ」ボタンが表示されている。
【００２８】
また、前記対戦選択画面表示制御部（１０３）は、前記対戦相手選択画面（Ｇ３）において客がいる自分以外のテーブル（Ｔ）が押された場合、図８に示すように、挑戦状を送ることを確認するための挑戦確認画面（Ｇ４）を前記ディスプレイ部（１００）に表示させる。この挑戦確認画面には、「○番テーブルに挑戦状を送ってもよいですか？」という説明文言と、前画面に戻るための「戻る」ボタンと、承諾するときに押す「ＯＫ」ボタンが表示されている。
【００２９】
前記挑戦情報送信部（１０７）は、前記挑戦確認画面（Ｇ４）において「ＯＫ」ボタンが押された場合に、対戦相手のテーブル（Ｔ）の端末装置（１Ｂ）に対して、ジャンケンの挑戦することを示す挑戦情報を前記ホストコンピュータ（２）を介して送信するものである。
【００３０】
前記挑戦結果情報受信部（１０８）は、対戦相手のテーブル（Ｔ）の端末装置（１Ｂ）から送信されてきた挑戦結果情報を受信するものである。
【００３１】
前記挑戦結果画面表示制御部（１０４）は、対戦相手のテーブル（Ｔ）の端末装置（１Ｂ）から送信されてきた挑戦結果情報に基づいて、図９に示すように、対戦相手に挑戦を受け付けてもらえなかった場合の挑戦結果画面（Ｇ５）、挑戦相手が既に挑戦の受付を終了していた場合の挑戦結果画面（Ｇ６）、あるいは挑戦相手が他のテーブル（Ｔ）と挑戦している場合の挑戦結果画面（Ｇ７）を表示するものである。これらの画面の右下部には、終了するための「終了」ボタンや再チャレンジするための「再チャレンジ」ボタンが表示される。
【００３２】
前記ジャンケン構成要素画面表示制御部（１０５）は、図９に示すように、グー、チョキ、パーからなるジャンケンの構成要素の画面（Ｇ１０）を表示するものである。このジャンケン構成要素画面（Ｇ１０）の上部には、「どれで勝負する？」等の文言が表示されており、その下にはジャンケンの構成要素であるグー、チョキ、パーのグラフィックが表示されている。また、ジャンケンの構成要素のグラフィックの右には、ホストコンピュータにジャンケンの構成要素を自動的に決定させるときに押す「？」マークのグラフィックが表示されている。さらに、ジャンケン構成要素画面（Ｇ１０）の右上部には、制限時間のカウントが表示されている。しかして、ジャンケンの挑戦者は、グー、チョキ、パー、？のうちから所望のグラフィック部分を押すことによりジャンケン構成要素を選択することができる。
【００３３】
前記ジャンケン構成要素情報送信部（１０９）は、前記ジャンケン構成要素画面（Ｇ１０）において選択されたジャンケンの構成要素に関する情報をホストコンピュータ（２）に送信するものである。
【００３４】
前記ジャンケン勝敗情報受信部（１１０）は、前記ホストコンピュータ（２）から送信されてきたジャンケンの勝敗に関する情報を受信するものである。
【００３５】
前記ジャンケン勝敗画面表示制御部（１０６）は、図１０に示すように、前記ジャンケン勝敗情報受信部（１１０）により受信したジャンケン勝敗情報に基づいて、ジャンケンに勝ったことを示す勝側ジャンケン勝敗画面（Ｇ１１）、ジャンケンに負けたことを示す負側ジャンケン勝敗画面（Ｇ１２）、あるいはジャンケンがあいこであることを示すあいこジャンケン勝敗画面（Ｇ１３）を表示するものである。
【００３６】
また、前記ジャンケン勝敗画面表示制御部（１０６）は、前記勝側ジャンケン勝敗画面（Ｇ１１）において「次へ」ボタンが押された場合に、選択できる商品の一覧が表示された商品一覧画面（Ｇ１４）を表示し、勝者の顧客がそれらの商品を選択できるようになっている。
【００３７】
図４は、被挑戦側の端末装置（１Ｂ）の機能を示すブロック図である。
【００３８】
前記被挑戦側の端末装置（１Ｂ）は、挑戦画面表示制御部（１１１）、商品一覧画面表示制御部（１１２）、ジャンケン構成要素画面表示制御部（１１３）、ジャンケン勝敗画面表示制御部（１１４）、挑戦情報受信部（１１５）、挑戦結果情報送信部（１１６）、ジャンケン構成要素情報送信部（１１７）、ジャンケン勝敗情報受信部（１１８）を備えてなる。
【００３９】
前記挑戦情報受信部（１１５）は、挑戦側の端末装置（１Ａ）からホストコンピュータ（２）を介して送信されてきた挑戦情報を受信するものである。
【００４０】
前記挑戦画面表示制御部（１１１）は、前記挑戦情報受信部（１１５）により挑戦情報を受信した場合に、図９に示すように、他の顧客のテーブル（Ｔ）から挑戦状が届いたことを示す画面（Ｇ８）を表示するものである。この挑戦画面（Ｇ８）は、その上部に「挑戦状が届きました」という文言が表示されており、その下にシステムの簡単な説明が表示される。また、挑戦画面（Ｇ８）の下部には、挑戦に応じる場合に押す「参加」ボタンと、挑戦を拒否する場合に押す「不参加」ボタンと、以後挑戦を拒否し続ける場合に押す「不参加＆以後の挑戦状を受け付けない」ボタンとが表示される。さらに、挑戦画面（Ｇ８）の左部には、ジャンケンに勝った場合に獲得できる商品の一覧画面を見るための「商品を見る」ボタンが表示されている。
【００４１】
前記商品一覧画面表示制御部（１１２）は、前記挑戦画面（Ｇ８）において「商品を見る」ボタンが押された場合に、図９に示すように、商品一覧画面（Ｇ９）を前記ディスプレイ部（１００）に表示させるものである。この商品一覧画面（Ｇ９）の右下部には、勝負をしないときに押す「しない」ボタンと、勝負をするときに押す「する」ボタンが表示されている。
【００４２】
前記挑戦結果情報送信部（１１６）は、前記商品一覧画面（Ｇ９）において「する」ボタンを押して挑戦に応じる場合、または「しない」ボタンを押して挑戦に応じない場合に、挑戦側の端末装置（１Ａ）に対して挑戦するまたは挑戦しないことを示す挑戦結果情報をホストコンピュータ（２）を介して送信するものである。
【００４３】
なお、ジャンケン構成要素画面表示制御部（１１３）、ジャンケン勝敗画面表示制御部（１１４）、ジャンケン構成要素情報送信部（１１７）、ジャンケン勝敗情報受信部（１１８）については、上述の挑戦側の端末装置のものと同一の機能であるので、その説明を省略する。
【００４４】
図５は、前記端末装置（１）のハードウェア構成を示す図である。
【００４５】
図５において、（１１）は各部の制御や、データの授受、種々の演算のほか、上記各表示制御部として機能する中央演算処理装置（ＣＰＵ）を有する制御部、（１２）は各種処理を実行するためのプログラムが記録されているＲＯＭ（Read Only Memory）、（１３）は前記制御部が各種処理を実行するときに必要なデータやプログラムが適宜記憶されるＲＡＭ（Random Access Memory）、（１４）は上記各送信部および受信部として機能する通信部、（１５）は各種記憶を行うハードディスク、（１００）は各種画面を表示するディスプレイ部である。
【００４６】
図６は、前記ホストコンピュータ（２）の機能を示すブロック図である。
【００４７】
このホストコンピュータ（２）は、ホスト側挑戦情報受信部（２１１）、ホスト側挑戦情報送信部（２１２）、ホスト側挑戦結果情報受信部（２１３）、ホスト側挑戦結果情報送信部（２１４）、ジャンケン構成要素受信部（２１５）、ジャンケン勝敗決定部（２１６）、およびジャンケン勝敗情報送信部（２１７）を備えてなる。
【００４８】
前記挑戦情報受信部（２１１）は、挑戦側の端末装置（１Ａ）から送信されてきた、ジャンケンの挑戦をすることを示す挑戦情報を受信するものである。
【００４９】
前記挑戦情報送信部（２１２）は、前記挑戦情報受信部（２１１）により受信された挑戦情報を被挑戦側の端末装置（１Ｂ）に送信するものである。
【００５０】
前記挑戦結果情報受信部（２１３）は、被挑戦側の端末装置（１Ｂ）から送信されてきた挑戦結果情報を受信するものである。
【００５１】
前記挑戦結果情報送信部（２１４）は、前記挑戦結果情報受信部（２１３）により受信した挑戦結果情報を挑戦側の端末装置（１Ａ）に送信するものである。
【００５２】
前記ジャンケン構成要素受信部（２１５）は、挑戦側および被挑戦側の各端末装置（１Ａ）（１Ｂ）から送信されてきたジャンケン構成要素情報を受信するものである。
【００５３】
前記ジャンケン勝敗決定部（２１６）は、前記ジャンケン構成要素受信部（２１５）により受信した挑戦側および被挑戦側の端末装置（１Ａ）（１Ｂ）のジャンケン構成要素に基づいて、ジャンケンの勝敗を決定するものである。
【００５４】
前記ジャンケン勝敗情報送信部（２１７）は、前記ジャンケン勝敗決定部（２１６）により決定されたジャンケンの結果情報を挑戦側および被挑戦側の端末装置（１Ａ）（１Ｂ）に送信するものである。
【００５５】
図７は、前記ホストコンピュータ（２）のハードウェア構成を示す図である。
【００５６】
図７において、（２１）は各部の制御や、データの授受、種々の演算のほか、前記ジャンケン勝敗決定部（２１６）として機能する中央演算処理装置（ＣＰＵ）を有する制御部、（２２）は各種処理を実行するためのプログラムが記録されているＲＯＭ（Read Only Memory）、（２３）は前記制御部が各種処理を実行するときに必要なデータやプログラムが適宜記憶されるＲＡＭ（Random Access Memory）、（２４）は上記各送信部および受信部として機能する通信部、（２５）は各種記憶を行うハードディスクである。
【００５７】
次に前記ジャンケン支援システムの動作について図１１に示すフローチャートを用いて説明する。なお、以下の説明および図面において「ステップ」を「Ｓ」と略記する。
【００５８】
まず、挑戦側の端末装置（１Ａ）は、説明画面表示制御部（１０１）により説明画面（Ｇ１）をディスプレイ部（１００）に表示させる（Ｓ１）。そして、前記説明画面（Ｇ１）において「する」ボタンが押されると、商品一覧画面表示制御部（１０２）により商品一覧画面（Ｇ２）をディスプレイ部（１００）に表示させる（Ｓ２）。そして、前記商品一覧画面（Ｇ２）において「する」ボタンが押されると、対戦相手選択画面表示制御部（１０３）により対戦相手選択画面（Ｇ３）をディスプレイ部（１００）に表示させる（Ｓ３）。そして、前記対戦相手選択画面（Ｇ３）において、対戦相手となるテーブルボタンが押されると、挑戦確認画面（Ｇ４）をディスプレイ部（１００）に表示させ、その挑戦確認画面（Ｇ４）において「ＯＫ」ボタンが押されると、前記挑戦情報送信部（１０７）により挑戦情報を前記ホストコンピュータ（２）に送信する（Ｓ４）。
【００５９】
前記ホストコンピュータは、前記ホスト側挑戦情報受信部（２１１）により挑戦側の端末装置（１Ａ）から送信されてきた挑戦情報を受信したあと（Ｓ５）、前記ホスト挑戦情報送信部（２１２）により挑戦情報を対戦相手となる被挑戦側の端末装置（１Ｂ）に送信する（Ｓ６）。
【００６０】
前記端末装置（１Ｂ）は、前記挑戦情報受信部（１１５）により前記ホストコンピュータ（２）から送信されてきた挑戦情報を受信し（Ｓ７）、前記挑戦画面表示制御部（１１１１）により挑戦画面（Ｇ８）をディスプレイ部（１００）に表示させる（Ｓ８）。そして、前記挑戦画面（Ｇ８）において「参加」ボタンが押されると、前記商品一覧画面表示制御部（１１２）により商品一覧画面（Ｇ９）をディスプレイ部（１００）に表示させる（Ｓ９）。そして、前記商品一覧画面（Ｇ９）において「する」または「しない」ボタンが押されると、挑戦結果情報送信部（１１６）により挑戦結果情報を前記ホストコンピュータ（２）に送信する（Ｓ１０）。
【００６１】
前記ホストコンピュータは、前記ホスト側挑戦結果情報受信部（２１３）により被挑戦側の端末装置（１Ｂ）から送信されてきた挑戦結果情報を受信したあと（Ｓ１１）、前記ホスト側挑戦結果情報送信部（２１４）により挑戦結果情報を送信する（Ｓ１２）。
【００６２】
前記端末装置（１Ａ）は、挑戦結果情報受信部（１０８）により前記ホストコンピュータから送信されてきた挑戦結果情報を受信し（Ｓ１３）、その挑戦結果情報が挑戦しないことを示す場合は挑戦結果画面（Ｇ５）、（Ｇ６）、または（Ｇ７）をディスプレイ部（１００）に表示させる。また、挑戦結果情報が挑戦することを示す場合は、ジャンケン構成要素画面表示制御部（１０５）によりジャンケン構成要素画面（Ｇ１０）をディスプレイ部（１００）に表示させる（Ｓ１５）。そして、前記ジャンケン構成要素画面（Ｇ１０）においてジャンケン構成要素のいずれ一つが選択された場合、前記ジャンケン構成要素情報送信部（１０９）によりジャンケン構成要素情報を前記ホストコンピュータ（２）に送信する。
【００６３】
一方、前記端末装置（１Ｂ）も、戦結果情報が挑戦することを示す場合は、ジャンケン構成要素画面表示制御部（１１３）によりジャンケン構成要素画面（Ｇ１０）をディスプレイ部（１００）に表示させる（Ｓ１７）。そして、前記ジャンケン構成要素画面（Ｇ１０）においてジャンケン構成要素のいずれ一つが選択された場合、前記ジャンケン構成要素情報送信部（１１７）によりジャンケン構成要素情報を前記ホストコンピュータ（２）に送信する（Ｓ１８）。
【００６４】
前記ホストコンピュータは、前記ジャンケン構成要素情報受信部（２１５）により前記挑戦側および被挑戦側の端末装置（１Ａ）（１Ｂ）から送信されてきたジャンケン構成要素情報を受信し（Ｓ１９）、前記ジャンケン勝敗決定部（２１６）により両ジャンケン構成要素情報に基づいてジャンケンの勝敗を決定したあと（Ｓ２０）、前記ジャンケン勝敗情報送信部（２１７）によりジャンケン勝敗情報を挑戦側および被挑戦側の端末装置（１Ａ）（１Ｂ）に送信する（Ｓ２１）。
【００６５】
前記挑戦側の端末装置（１Ａ）は、前記ジャンケン勝敗情報受信部（１１０）により前記ホストコンピュータ（２）から送信されてきたジャンケン勝敗情報を受信し（Ｓ２２）、前記ジャンケン勝敗画面表示制御部（１０６）によりジャンケン勝敗画面（Ｇ１１）、（Ｇ１２）、あるいは（Ｇ１３）をディスプレイ部（１００）に表示させる（Ｓ２３）。
【００６６】
前記挑戦側の端末装置（１Ｂ）も、前記ジャンケン勝敗情報受信部（１１８）により前記ホストコンピュータ（２）から送信されてきたジャンケン勝敗情報を受信し（Ｓ２４）、前記ジャンケン勝敗画面表示制御部（１１４）によりジャンケン勝敗画面（Ｇ１１）、（Ｇ１２）、あるいは（Ｇ１３）をディスプレイ部（１００）に表示させる（Ｓ２５）。
【００６７】
なお、挑戦側端末装置（１Ａ）、被挑戦側端末装置（１Ｂ）、およびホストコンピュータ（２）の機能構成は上述のものに限定されるものではなく、挑戦側端末装置（１Ａ）および被挑戦側端末装置（１Ｂ）の一ないし複数の機能を前記ホストコンピュータ（２）に設けるものとしてもよい。
【産業上の利用可能性】
【００６８】
この発明は、飲食店内の顧客同士がコミュニケーションをとり易いように、異なるテーブル間でジャンケンを実施することを支援するためのシステムに適用することができる。
【図面の簡単な説明】
【００６９】
【図１】この発明の一実施形態に係るジャンケン支援システムの構成概略図である。
【図２】端末装置間におけるジャンケンの実施状態を示す模式図である。
【図３】挑戦側の端末装置の機能を示すブロック図である。
【図４】被挑戦側の端末装置の機能を示すブロック図である。
【図５】端末装置のハードウェア構成を示す図である。
【図６】ホストコンピュータの機能を示すブロック図である。
【図７】ホストコンピュータのハードウェア構成を示す図である。
【図８】各画面（Ｇ１）〜（Ｇ４）を示す図である。
【図９】各画面（Ｇ５）〜（Ｇ１０）を示す図である。
【図１０】各画面（Ｇ１１）〜（Ｇ１４）を示す図である。
【図１１】ジャンケン支援システムの動作を示すフローチャートである。
【符号の説明】
【００７０】
１・・・端末装置
２・・・ホストコンピュータ
【図１】
2005063103.tif 000003
【図２】
2005063103.tif 000004
【図３】
2005063103.tif 000005
【図４】
2005063103.tif 000006
【図５】
2005063103.tif 000007
【図６】
2005063103.tif 000008
【図７】
2005063103.tif 000009
【図８】
2005063103.tif 000010
【図９】
2005063103.tif 000011
【図１０】
2005063103.tif 000012
【図１１】
2005063103.tif 000013